(57)【要約】【課題】  空気調節装置を小型化した場合に、フィルタユニットに効率良く空気を通過させることができる構造を備える、空気調節装置を提供する。【解決手段】  本体ケーシング１１０の凹部１１８において、凹部１１８の底面１１８ａから仕切り壁１２０までの間において、フィルタユニット１５１を通過した空気をファンに向かって流すための主送風流路空間Ａ１が規定される。また、凹部１１８の側壁１１８ｂ，１１８ｂの両側面側に、それぞれ外部側壁１１９，１１９が設けられ、この外部側壁１１９，１１９と側壁１１８ｂ，１１８ｂとの間において、主送風流路空間Ａ１に連通し、フィルタユニット１５１を通過した空気を流すための予備送風流路空間Ａ２が、縦方向に延びるように規定されている。【選択図】        図９
2007021458.tif 000002
【特許請求の範囲】
【請求項１】
本体ケーシングの前面側に収容されるフィルタユニットと、前記本体ケーシングの後面側に配置されるファンとを備える空気調節装置であって、
前記フィルタユニットの背面側と前記ファンの前面側に規定される主送風流路空間と、
前記主送風流路空間に連通し、前記フィルタユニットの側面側に規定される予備送風流路空間と、を備える空気調節装置。
【請求項２】
前記本体ケーシングは、
前記ファンの前面側において、前記主送風流路空間を規定するように前記フィルタユニットを収容する凹部と、
前記凹部の両側面側にそれぞれ設けられ、前記凹部を規定する側壁との間において、前記予備送風流路空間を規定する外部側壁と、を有する請求項１に記載の空気調節装置。
【請求項３】
前記凹部の幅は、両側に配置される前記外部側壁の間の幅よりも小さく設けられる、請求項２に記載の空気調節装置。
【請求項４】
前記本体ケーシングは、
前記フィルタユニットが配置される前方空間と、前記ファンが配置される後方空間とを仕切る仕切り壁を有し、
前記フィルタユニットを収容する前記凹部の深さ寸法よりも、前記凹部の底面から仕切り壁までの距離の方が小さく設けられる、請求項２または３に記載の空気調節装置。
【発明の詳細な説明】
【技術分野】
【０００１】
本発明は、空気調節装置に関し、特に、室内の空気を清浄化する空気清浄機能を備えた空気調節装置に関する。
【背景技術】
【０００２】
室内の空気の温度、湿度、あるいは汚染度をコントロールする装置として空気調節装置が知られている。これら空気調節装置にあっては、室内の空気を装置内部に取り込み、取り込まれた空気の物性を変化させて所望の状態の空気とした後、装置外部へ吹出す仕組みとなっている。特に、近年の住環境の変化に伴い、室内の空気の汚染度を改善する空気清浄機能を備えた空気調節装置が注目されている。
【０００３】
従来から、集塵機能や脱臭機能を備えた空気清浄機は広く普及しているが、これらの機能に加えて人体に有害な浮遊細菌を制菌または除菌する機能を併せ備えた空気清浄機が近年普及しつつある。ここで、「制菌」とは、繊維状のフィルタに付着した菌の増殖を抑制することをいう。また、「殺菌」とは、微生物を死滅させ、絶対数を減少させることをいう。
【０００４】
このような空気清浄機にあっては、集塵機能、脱臭機能、および制菌機能は通風路内に設置された各種フィルタによって発揮される。空気清浄機は、一般に、各種フィルタとして、集塵機能を有する集塵フィルタと脱臭機能を有する脱臭フィルタとを備えている。集塵フィルタは、空気中の粉塵を捕集する。脱臭フィルタは、空気中の臭い成分を捕集・分解する。制菌フィルタは、人体に有害な浮遊細菌を制菌または除菌する。
【０００５】
このような空気清浄機にあっては、集塵機能、脱臭機能、および制菌機能は通風路内に設置された各種のフィルタからフィルタユニットによって発揮される。空気清浄機は、一般に、フィルタユニットとして、集塵機能を有する集塵フィルタ、脱臭機能を有する脱臭フィルタ等を備えている。
【０００６】
このようなフィルタユニットを開示する空気清浄機として、特開２０００−１２１１１１号公報（特許文献１）および特開２００３−１６１４８２号（特許文献２）に開示される構造が挙げられる。
【０００７】
ここで、近年、空気清浄機、その他の空気調節装置の小型化が望まれるようになってきているが、空気清浄機能に関しては、少なくともその機能を維持させることが必要となる。空気清浄機能を維持させるためには、フィルタユニットの全面に対して空気を通過させることが効果的である。しかし、空気調節装置を小型化した場合、ファンから遠ざかる領域に位置するフィルタに、効率良く空気を通過させることができないことが懸念される。この場合、フィルタユニットとファンとの間に十分な空間を設けることで、フィルタに効率良く空気を通過させることが可能となるが、空気調節装置の小型化を図ることができないこととなる。
【特許文献１】特開２０００−１２１１１１号公報
【特許文献２】特開２００３−１６１４８２号公報
【発明の開示】
【発明が解決しようとする課題】
【０００８】
本発明の解決しようとする課題は、空気調節装置を小型化した場合に、フィルタユニットに効率良く空気を通過させることができない点にある。したがって、本発明に基づいた空気調節装置においては、空気調節装置を小型化した場合に、フィルタユニットに効率良く空気を通過させることができる構造を備える、空気調節装置を提供することにある。
【課題を解決するための手段】
【０００９】
この発明に基づいた空気調節装置においては、本体ケーシングの前面側に収容されるフィルタユニットと、上記本体ケーシングの後面側に配置されるファンとを備える空気調節装置であって、上記フィルタユニットの背面側と上記ファンの前面側に規定される主送風流路空間と、上記主送風流路空間に連通し、上記フィルタユニットの側面側に規定される予備送風流路空間とを備えている。
【発明の効果】
【００１０】
この発明に基づいた空気調節装置によれば、主送風流路空間と、両側方に予備送風流路空間を設けていることから、フィルタユニットの背面側全面から、空気が引き抜かれることを可能とし、フィルタユニットの全面において空気を通過させることができる。その結果、空気調節装置の幅方向での小型化の要求に対応することが可能となる。
【発明を実施するための最良の形態】
【００１１】
以下、本発明に基づいた実施の形態について、図を参照して詳細に説明する。なお、以下に示す実施の形態においては、空気調節装置として空気清浄機能を有する据え置き型の空気清浄機を例示して説明を行なう。
【００１２】
図１から図９を参照して、本実施の形態における空気清浄機の外観構造について説明する。図１は、本実施の形態における空気清浄機を前面側から見た概略斜視図である。図２は、背面側から見た概略斜視図である。図３は、本実施の形態における空気清浄機の上面図である。図４は、本実施の形態における空気清浄機の前面パネル、フィルタ押さえ枠およびフィルタユニットの組付け構造を示す分解斜視図である。図５（Ａ）は、フィルタ押さえ枠の正面図であり、図５（Ｂ）は、フィルタ押さえ枠の側面図であり、図５（Ｃ）は、フィルタ押さえ枠の上面図である。図６は、フィルタ押さえ枠でフィルタユニットを本体ケーシングに取り付けた状態の概略正面図である。図７は、本実施の形態における空気清浄機において、前面パネル、フィルタ押さえ枠およびフィルタユニットを本体ケーシングから取外した状態の概略斜視図である。図８は、本実施の形態における空気清浄機の図１に示すＶＩＩＩ−ＶＩＩＩ線に沿った模式断面図であり、図９は、図１に示すＩＸ−ＩＸ線に沿った模式断面図である。
【００１３】
図１から図３に示すように、本実施の形態における空気清浄機１００は、本体ケーシング１１０と、前面パネル１４０とを主に備えている。本体ケーシング１１０は、縦長の前面開口の箱状体からなり、その内部には空気清浄機１００の主要部品が納められている。本体ケーシング１１０の下部には、脚部１１２が設けられている。この脚部１１２は、空気清浄機１００を直立状態で床面等に載置するための部位である。また、本体ケーシング１１０の上面には、上面パネル部１１６が設けられており、この上面パネル部１１６には、各種操作ボタンや表示ランプ等が配設されている。なお、本体ケーシング１１０は、必要により複数の部材を組み合わせることによって構成される。
【００１４】
本体ケーシング１１０の背面には、把手部１１４が設けられている。この把手部１１４は、空気清浄機１００を持ち上げて搬送する際等の利便性を考慮して設けられたものである。また、本体ケーシング１１０の背面からは、電源コード１９０が引き出されている。
【００１５】
前面パネル１４０は、その主面から後方に向かって立設して設けられた側部１４１を有しており、本体ケーシング１１０の前面および側面の一部を覆うように本体ケーシング１１０に着脱自在に取り付けられる。前面パネル１４０は、装置の動作時において、後述するシロッコファンやモータ等にて発生する騒音が装置外部へと漏れ出さないようにするための遮音部材として取り付けられるものであり、同時に装置の外観上の美観を確保するためのものでもある。
【００１６】
図２に示すように、本体ケーシング１１０の側面と前面パネル１４０の側部１４１との間には、隙間が設けられている。この隙間は、吸込口１２４を構成する。吸込口１２４は、装置外部の空気を装置内部へと導入するための開口部である。また、本体ケーシング１１０の側面の上記吸込口１２４に隣接する部分には、埃センサ１３６が設けられている。一方、図２および図３に示すように、本体ケーシング１１０の上部には、吹出口１２６Ａ，１２６Ｂが設けられている。この吹出口１２６Ａ，１２６Ｂは、装置内部において清浄化された空気を装置外部へと導出するための開口部である。
【００１７】
上述のように、本体ケーシング１１０の上面パネル部１１６には、各種操作ボタンや表示ランプ等が配設されている。本実施の形態における空気清浄機１００にあっては、図３に示すように、空気清浄機１００のオン／オフ動作を切換える電源ボタン１６０や、後述するイオン発生装置の運転状態を切換えるイオン発生装置の切換えボタン１６１、空気清浄機１００の運転モードを切換える運転モード切換えボタン１６２、電源オフ状態からワンタッチの操作で特定の運転動作に移行するショートカットボタン１６３等が配設されている。また、上面パネル部１１６には、これらボタンに隣接して、イオン発生装置の運転状態を示すイオン発生装置の動作状態表示ランプ１７１や、空気清浄機１００の運転モードを表示する運転モード表示ランプ１７２、ショートカットボタンの運転動作が行なわれているか否かを示すショートカット動作有無表示ランプ１７３等が配設されている。
【００１８】
さらに、本実施の形態における空気清浄機１００にあっては、空気清浄機１００の前方からの視認が容易となるように、空気清浄機１００の上面に突設された吹出口１２６Ｂと一体化して汚れ状態表示部１７４およびイオン発生装置の動作状態表示部１７５が設けられている。汚れ状態表示部１７４は、その下方に配設された光源である発光ダイオード１７４ａの色彩や輝度等が変調することにより、視覚的に使用者に室内空気の汚れ度合いを示す表示部である。なお、この汚れ状態表示部１７４は、上述の埃センサ１３６および後述の臭いセンサ１３８（図７参照）によって検出された空気の汚染度に応じてその表示が切り換わるように構成されている。一方、イオン発生装置の動作状態表示部１７５は、その下方に配設された発光ダイオード１７５ａの色彩や輝度等が変調することにより、視覚的に使用者にイオン発生装置の運転状態を示す表示部である。なお、このイオン発生装置の動作状態表示部１７５は、上述のイオン発生装置の動作状態表示ランプ１７１と同様の機能を果たす表示手段である。
【００１９】
図４に示すように、本体ケーシング１１０の前面側に設けられた凹部１１８には、フィルタユニット１５１が収容配置される。フィルタユニット１５１の構成としては、種々の構成が考えられるが、本実施の形態における空気清浄機１００にあっては、前面側から順に、脱臭フィルタ１５２、有機物除去フィルタ１５３および制菌／集塵フィルタ１５４の順で３つのフィルタが積層配置される。これら脱臭フィルタ１５２、有機物除去フィルタ１５３および制菌／集塵フィルタ１５４は、その前方に配置されるフィルタ押さえ枠１５０が本体ケーシング１１０の前面に固定されることにより、本体ケーシング１１０の凹部１１８に保持されることになる。
【００２０】
なお、本実施の形態ではフィルタユニット１５１は３つのフィルタを積層配置しているが、この構成に特に限定されない。フィルタユニット１５１はフィルタを１枚以上備えていればよく、たとえば脱臭フィルタ１５２のみを含む構成としてもよい。
【００２１】
図５（Ａ）〜（Ｃ）に示すように、フィルタ押さえ枠１５０は、枠体１５０ａと、切込み部１５０ｂと、引掛け部１５０ｃ、差込み部１５０ｄとを備える。枠体１５０ａの正面形状は四角形であり、その内部に四角形の中空を有するように数箇所において対向する辺をそれぞれ結ぶ部材を含んでいる。本実施の形態では枠体１５０ａは、５段４列の中空を形成する中空枠を含む。該中空において空気を吸い込むことができる。切込み部１５０ｂは、枠体１５０ａの外周において上端の辺の両角近傍に２箇所と、上端の辺と接続される辺において該角の近傍に２箇所の合計４箇所に、脱臭フィルタ１５２に設けられたフィルタ取付け帯１５２Ａが留まる程度の深さの切込みを有する形状としている。
【００２２】
また、引掛け部１５０ｃは、枠体１５０ａの上端の辺と２箇所で接続され、フィルタユニット１５１を本体ケーシング１１０の前面に固定するときに引っ掛けることができる形状としている。差込み部１５０ｄは、枠体１５０ａの下端の辺と２箇所で接続され、フィルタユニット１５１を本体ケーシング１１０の前面に固定するときに差し込むことができる形状としている。
【００２３】
図６に示すように、フィルタユニット１５１を本体ケーシング１１０に固定するためには、まず、フィルタ押さえ枠１５０に備えられているそれぞれの切込み部１５０ｂに、脱臭フィルタ１５２に備えられているそれぞれのフィルタ取付け帯１５２Ａをはめ込む。これにより、脱臭フィルタ１５２がフィルタ押さえ枠１５０に固定される。次に、フィルタ押さえ枠１５０およびフィルタユニット１５１を本体ケーシング１１０の前面に配置する。次いで、引掛け部１５０ｃおよび差込み部１５０ｄをそれぞれ本体ケーシング１１０の所定場所にはめ込む。これにより、フィルタ押さえ枠１５０でフィルタユニット１５１を本体ケーシング１１０の前面に固定することができる。
【００２４】
図７に示すように、本体ケーシング１１０の凹部１１８の後方に設けられた仕切り壁１２０には、連通孔１２１が設けられており、この連通孔１２１の前面に金属ガード１２２が取り付けられている。仕切り壁１２０は、本体ケーシング１１０の内部空間を前方空間Ｓ１（図８参照）と後方空間Ｓ２（図８参照）とに仕切るものであり、金属ガード１２２は、メンテナンス作業時等に作業者が過って動作中のファンに指を差し込まないためのガード部材である。また、本体ケーシング１１０の前面の所定位置には、臭いセンサ１３８が設けられている。
【００２５】
ここで、フィルタユニット１５１を保持する本体ケーシング１１０の凹部１１８は、図８および図９に示すように、仕切り壁１２０に面する底面１１８ａと、両側面側にそれぞれ設けられる側壁１１８ｂ，１１８ｂにより規定され、その深さｈ１は、フィルタユニット１５１の厚みと略同じ寸法に設けられている。また、凹部１１８の底面１１８ａから仕切り壁１２０までの距離ｈ２は、本実施の形態における空気清浄機１００の厚み方向の小型化を図る観点から、本体ケーシング１１０の凹部１１８の深さｈ１よりも小さい寸法となるように設けられている。また、凹部１１８の底面１１８ａから仕切り壁１２０までの間において、フィルタユニット１５１を通過した空気をファンに向かって流すための主送風流路空間Ａ１が規定される。
【００２６】
さらに、本実施の形態における空気清浄機１００においては、本体ケーシング１１０の凹部１１８の側壁１１８ｂ，１１８ｂの両側面側に、それぞれ外部側壁１１９，１１９が設けられ、この外部側壁１１９，１１９と側壁１１８ｂ，１１８ｂとの間において、フィルタユニット１５１を通過した空気を流すための予備送風流路空間Ａ２が、縦方向に延びるように規定されている。この予備送風流路空間Ａ２を主送風流路空間Ａ１の側方において連通するように設けることで、主送風流路空間Ａ１の実質的な空間を拡大するとともに、主送風流路空間Ａ１および予備送風流路空間Ａ２によって規定される流路幅（Ｗ２）は、フィルタユニット１５１を収容する凹部１１８の幅（Ｗ１）よりも大きく形成されることとなる。
【００２７】
次に、図８から図１１を参照して、本実施の形態における空気清浄機１００の内部構造および装置本体内部における空気の流れについて説明する。なお、図１０は、本実施の形態における空気清浄機において、本体ケーシングの前面部分を構成する部材を取外した状態を示す正面図であり、図１１は、本実施の形態における空気清浄機において、本体ケーシングの背面部分を構成する部材を取外した状態を示す一部破断背面図である。
【００２８】
図８および図９に示すように、上述の空気清浄機１００の内部には、仕切り壁１２０が位置している。仕切り壁１２０の前方には、脱臭フィルタ１５２、有機物除去フィルタ１５３および制菌／集塵フィルタ１５４の３つで構成されるフィルタユニット１５１が配置されており、その前方には前面パネル１４０が配置されている。フィルタユニット１５１は、前面パネル１４０と仕切り壁１２０との間に位置する前方空間Ｓ１を前後方向に２分割しており、これら空間はそれぞれ空気の流路となる。なお、図９に示すように、前方空間Ｓ１は、本体ケーシング１１０の側方において吸込口１２４を介して装置外部と連通している。
【００２９】
図８および図９に示すように、仕切り壁１２０の後方には、送風ファンとしてシロッコファン１３０が配置されている。シロッコファン１３０は、その後方に配置されたモータ１３２によって回転駆動される。なお、仕切り壁１２０に設けられた連通孔１２１は、シロッコファン１３０の吸い込み面と対面して設けられている。
【００３０】
本体ケーシング１１０の後方空間Ｓ２は、本体ケーシング１１０の上部に設けられた吹出口１２６Ａ，１２６Ｂに連通している。吹出口１２６Ａ，１２６Ｂのそれぞれには、ルーバ１２６ａ，１２６ｂが設けられている。ルーバ１２６ａ，１２６ｂは、吹出口１２６Ａ，１２６Ｂから吹き出される空気の風向きを整えるためのものである。
【００３１】
本体ケーシング１１０の後方空間Ｓ２には、流路形成部材１２３が配置されている。この流路形成部材１２３は、シロッコファン１３０によって後方空間Ｓ２に導入された空気の流れを吹出口１２６Ａ，１２６Ｂに導くためのものであり、仕切り壁１２０とによって後方空間Ｓ２内における空気の流路を形成する部材である。流路形成部材１２３は、下部においてシロッコファン１３０を取り囲み、上部においてシロッコファン１３０から吹き出された空気を吹出口１２６Ａ，１２６Ｂに導く形状に形成されている。
【００３２】
後方空間Ｓ２に面する仕切り壁１２０の所定位置には、正イオンおよび負イオンの少なくともいずれか一方を、後方空間Ｓ２を通過する空気に対して放出するイオン発生装置１３４が設けられている。イオン発生装置１３４においては、イオン発生素子に設けられた電極間に交流電圧を印加することにより、空気中の酸素ないし水分がイオン化される。そして、このイオン発生装置１３４のイオン放出面を空気の流路に対面配置させることにより、発生したイオンを空気の流れに乗せて装置外部へと放出する。
【００３３】
上記構成の空気清浄機１００にあっては、シロッコファン１３０がモータ１３２によって回転駆動されることにより、本体ケーシング１１０の前方空間Ｓ１において負圧が生じ、本体ケーシング１１０の側方に位置する吸込口１２４を介して室内の空気が前方空間Ｓ１に取り込まれる（図８および９参照）。取り込まれた空気は、フィルタユニット１５１を通過する際に脱臭処理および一酸化炭素の除去処理、ホルムアルデヒドの吸着処理、集塵処理および制菌処理が順に施され、仕切り壁１２０に設けられた連通孔１２１を通過して後方空間Ｓ２へと導入される。
【００３４】
なお、このフィルタユニット１５１を通過する際、シロッコファン１３０により吸い込まれた空気の中から大きな集塵を捕集するプレフィルタの役割も担っている。
【００３５】
後方空間Ｓ２に流入した空気は、シロッコファン１３０の周面部から外側に向かって吹き出される。シロッコファン１３０から吹き出された空気は、流路形成部材１２３に導かれて後方空間Ｓ２内を上昇し、イオン発生装置１３４によって所定濃度の正イオンまたは／および負イオンが付加されて吹出口１２６Ａ，１２６Ｂより室内へと吹き出される（図１０および１２参照）。なお、図１０から図１２においては、空気の流れを矢印にて示している。
【００３６】
また、本実施の形態における空気清浄機１００においては、本体ケーシング１１０の前方空間Ｓ１において、主送風流路空間Ａ１と、両側方において主送風流路空間Ａ１に連通する予備送風流路空間Ａ２とが設けられていることから、シロッコファン１３０の駆動時には、この主送風流路空間Ａ１および予備送風流路空間Ａ２の全体が負圧状態となる。その結果、フィルタユニット１５１の背面側全面が負圧にさらされることとなる。これにより、図１０中の矢印（特に予備送風流路空間Ａ２を通過するＹ１で示す矢印）に示すように、フィルタユニット１５１の背面側全面から、空気が引き抜かれ、フィルタユニット１５１の全面において空気を通過させることが可能となる。その結果、空気清浄機１００の幅方向に小型化の要求に対しても、フィルタユニット１５１の側方の余剰空間を予備送風流路空間Ａ２として用いることにより、フィルタユニット１５１の全面での空気流れを確保するとともに、空気清浄機１００の幅方向の小型化の実現を可能としている。
【００３７】
また、フィルタユニット１５１の側方に予備送風流路空間Ａ２を設けることで、図１０に示すように、フィルタユニット１５１の背面側全面での空気流れを確保できることから、凹部１１８の底面から仕切り壁１２０までの距離ｈ２を小さくすることができ、空気清浄機１００の厚さ（奥行き）方向の小型化の実現をも可能としている。本実施の形態においては、距離ｈ２を本体ケーシング１１０の凹部１１８の深さｈ１よりも小さい寸法での実現を可能としている。
【００３８】
以上説明したように、本実施の形態における空気清浄機１００によれば、シロッコファン１３０とフィルタユニット１５１とを備え、フィルタユニット１５１は、一酸化炭素を除去する触媒を含むフィルタを備えている。そのため、一酸化炭素を除去する触媒により、空気中の一酸化炭素を二酸化炭素へ反応させることを促進する。よって、空気中の一酸化炭素を除去することができる。
【００３９】
また、本実施の形態における一酸化炭素を除去する触媒は、低温で一酸化炭素を除去することができる。そのため、空気を高温にする機器を配置するスペースを不要とするので、一酸化炭素を除去する機能を備える空気調節装置を小型化することができる。
【００４０】
また、本実施の形態における一酸化炭素を除去する触媒を備えることにより、フィルタユニット１５１を薄型化にすることができる。そのため、フィルタユニット１５１は、アルデヒド基を有する有機物を除去する１の有機物除去フィルタ１５３をさらに含むことができる。よって、ホルムアルデヒド等のアルデヒド基を有する有機物を効果的に除去することができる。
【００４１】
さらに、有機物除去フィルタ１５３を脱臭フィルタ１５２の風下側に配置している。脱臭フィルタ１５２は、空気の中から大きな集塵を捕集するプレフィルタの役割も担っている。そのため、有機物除去フィルタ１５３は有機物をより効果的に除去することができる。
【００４２】
さらには、フィルタ押さえ枠１５０の一部に切込み部１５０ｂを備えている。そのため、衝撃や取り扱い時に脱臭フィルタ１５２のフィルタ取付け帯１５２Ａが外れることや、脱臭フィルタ１５２が落下することなどを防止できる。よって、空気清浄機１００の利便性をさらに向上することができる。
【００４３】
さらには、上述したように、本体ケーシング１１０の前方空間Ｓ１において、主送風流路空間Ａ１と、両側方に予備送風流路空間Ａ２を設けていることから、フィルタユニット１５１の背面側全面から、空気が引き抜かれることにより、フィルタユニット１５１の全面において空気を通過させることが可能となり、空気清浄機１００の幅方向に小型化の要求に対応することができ、さらには、空気清浄機１００の厚さ（奥行き）方向の小型化の実現をも可能としている。
【００４４】
なお、上述の本実施の形態においては、空気調節装置として据え置き型の空気清浄機を例示して説明を行なったが、本発明の適用対象はこれに限定されるものではない。本発明における空気調節装置とは、装置外部から空気を装置内部へと導入し、導入した空気に何らかの処理を施した上で装置外部へと送出する装置全般を指すものである。したがって、空気調節装置は、上述の据え置き型の空気清浄機以外にも、壁掛け式の空気清浄機やビルトインタイプの空気清浄機、車載用の空気清浄機、さらには、空気調和機、除湿機、加湿器、電気ヒータ、石油ストーブ、石油ファンヒータ、ガスヒータ、冷蔵庫、クーラーボックス、建築物用の空調ダクト、車載用の空調ダクト等を含むものである。
【００４５】
このように、今回開示した上記本実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００４６】
【図１】本発明に基づいた実施の形態における空気清浄機を前面側から見た概略斜視図である。
【図２】本発明に基づいた実施の形態における空気清浄機を背面側から見た概略斜視図である。
【図３】本発明に基づいた実施の形態における空気清浄機の上面図である。
【図４】本発明に基づいた実施の形態における空気清浄機の前面パネル、フィルタ押さえ枠およびフィルタユニットの組付け構造を示す分解斜視図である。
【図５】（Ａ）は、フィルタ押さえ枠の正面図であり、（Ｂ）は、フィルタ押さえ枠の側面図であり、（Ｃ）は、フィルタ押さえ枠の上面図である。
【図６】フィルタ押さえ枠でフィルタユニットを本体ケーシングに取り付けた状態の概略正面図である。
【図７】本発明に基づいた実施の形態における空気清浄機において、前面パネル、フィルタ押さえ枠およびフィルタユニットをケーシングから取外した状態の概略斜視図である。
【図８】本発明に基づいた実施の形態における空気清浄機の図１に示すＶＩＩＩ−ＶＩＩＩ線に沿った模式断面図である。
【図９】本発明に基づいた実施の形態における空気清浄機の図１に示すＩＸ−ＩＸ線に沿った模式断面図である。
【図１０】本発明に基づいた実施の形態における空気清浄機において、本体ケーシングの前面部分を構成する部材を取外した状態を示す正面図である。
【図１１】本発明に基づいた実施の形態における空気清浄機において、本体ケーシングの背面部分を構成する部材を取外した状態を示す一部破断背面図である。
【符号の説明】
【００４７】
１００，２００，３００  空気清浄機、１１０  本体ケーシング、１１２  脚部、１１４  把手部、１１６  上面パネル部、１１８  凹部、１１８ａ  底面、１１８ｂ  側壁、１１９  外部側壁、１２０  仕切り壁、１２１  連通孔、１２２  金属ガード、１２３  流路形成部材、１２４  吸込口、１２６Ａ，１２６Ｂ  吹出口、１２６ａ，１２６ｂ  ルーバ、１３０  シロッコファン、１３２  モータ、１３４  イオン発生装置、１３６  埃センサ、１３８  臭いセンサ、１４０  前面パネル、１４１  側部、１５０  フィルタ押さえ枠、１５０ａ  枠体、１５０ｂ  切込み部、１５０ｃ  引掛け部、１５０ｄ  差込み部、１５１，２５１，３５１  フィルタユニット、１５２，２５２，２５６，３５２  脱臭フィルタ、１５２Ａ  フィルタ取付け帯、１５３，３５３  有機物除去フィルタ、１５４，３５４  制菌／集塵フィルタ、１６０  電源ボタン、１６１  イオン発生装置の切換えボタン、１６２  運転モード切替ボタン、１６３  ショートカットボタン、１７１  イオン発生装置の動作状態表示ランプ、１７２  運転モード表示ランプ、１７３  ショートカット動作有無表示ランプ、１７４  汚れ状態表示部、１７４ａ  発光ダイオード、１７５  イオン発生装置の動作状態表示部、１７５ａ  発光ダイオード、１９０  電源コード、２５２ａ  触媒、２５２ｂ  脱臭剤、２５２ｃ  袋体、２５２ｄ  スペーサ、２５２ｅ  別の枠材、２５５  触媒フィルタ、Ａ１  主送風流路空間、Ａ２  予備送風流路空間、Ｓ１  前方空間、Ｓ２  後方空間。
【図１】
2007021458.tif 000003
【図２】
2007021458.tif 000004
【図３】
2007021458.tif 000005
【図４】
2007021458.tif 000006
【図５】
2007021458.tif 000007
【図６】
2007021458.tif 000008
【図７】
2007021458.tif 000009
【図８】
2007021458.tif 000010
【図９】
2007021458.tif 000011
【図１０】
2007021458.tif 000012
【図１１】
2007021458.tif 000013